(57)【要約】【課題】提げ手部に、フックの取付け口を開口させることなく、下端に大径部を具えたフックをハンガー主体に取り付けて、提げ手部を持ったときの違和感を解消し、把持感覚を改良する。【構成】合成樹脂製のハンガー主体１に、正、背面にリブ３’を具えてほぼ逆台形状の提げ手部３を形成し、提げ手部の上面のほぼ中央に設けた狭窄部５に連続して、提げ手部の一方の側面に嵌め込み部６溝を設け、下端に大径部９を具えた合成樹脂製のフック４を嵌合し、大径部３を狭窄部５に支持させるようにした衣服用ハンガーであって、フックの大径部を、素材同士の弾性を利用して嵌め込み部内に押し入れ、フックをハンガー主体に取り付けて、提げ手部にフックの取付け口を開口させないでフックを取り付けるようにしたハンガーである。【選択図】　　図１
2004024636.tif 000002
【特許請求の範囲】
【請求項１】
合成樹脂製のハンガー主体の頂部に、正、背面にリブを具えて正面視ほぼ逆台形状の提げ手部を一体形成し、この提げ手部の上面のほぼ中央に設けた狭窄部に連続させて、該提げ手部の一方の側面に、上記リブの間に嵌め込み部を設け、この嵌め込み部から上記狭窄部にかけて、下端に大径部を具えた合成樹脂製のフックを嵌合し、フックの大径部を上記狭窄部に支持させるようにした衣服用ハンガーにおいて、前記フックの大径部を、素材同士の弾性を利用して前記嵌め込み部内に押し入れ、フックを前記ハンガー主体に対して回転可能に、かつ、折り畳み自在に連結した衣服用ハンガー。
【請求項２】
前記提げ手部の正、背面のリブの内側に、前記フックの大径部を弾性的に通過させるストッパー突起を設け、このストッパー突起に、起立時、折り畳み時のフックを抜け止めさせるように構成したことを特徴とする請求項１記載の衣服用ハンガー。
【発明の詳細な説明】
【０００１】
【発明の属する技術分野】
この発明は、主として衣服を携行する場合に用いられるようにした衣服用ハンガーに関し、ハンガー主体の頂部に一体成形した提げ手部にフックの取付け口を開口させることなく、ハンガー主体にフックを取り付けられるようにしたことを特長とするものである。
【０００２】
【従来の技術】
この種のハンガーは、主として上着を掛けたハンガー主体を包装用または携行用の衣服バッグに収容して、ハンガー主体の頂部に備えた提げ手部を上着の襟ぐり部分からバッグ外に引き出し、引き出した提げ手部を持って、二つ折りにした衣服バッグとともに上着を提げて携行できるように用いられる。
【０００３】
従来のこの種のハンガーには、例えば、実開昭７−３０８５３号公報、特開平５−１８３７７号公報等のように、ハンガー主体に一体成形した提げ手部の側面とか、側面から裏面にかけて開口させた取付け口を利用して、下端に大径部を具えたフックをハンガー主体に取り付けるようにしていた。
上記のように、提げ手部にフックの取付け口を開口させた衣服用ハンガーは、提げ手部を持った場合に、取付け口の口縁部分が掌の内側に接して、外形を滑面に形成している提げ手部との間に形状の違和感があり、提げ手部を持った時の触感が損なわれるという欠点があった。
【０００４】
【発明が解決しようとする課題】
本発明が解決しようとする課題は、ハンガー主体の頂部に形成する提げ手部に、フックの取付け口を開口させることなく、下端に大径部を具えたフックをハンガー主体に取り付けられるようにして、提げ手部を持ったときの違和感を解消し、把持感覚を改良しようとすることにある。
【課題を解決するための手段】
上記の課題を解決するために本発明は、合成樹脂製のハンガー主体の頂部に、正、背面にリブを具えて正面視ほぼ逆台形状の提げ手部を一体形成し、この提げ手部の上面のほぼ中央に設けた狭窄部に連続させて、該提げ手部の一方の側面に、上記リブの間に嵌め込み部を設け、この嵌め込み部から上記狭窄部にかけて、下端に大径部を具えた合成樹脂製のフックを嵌合し、フックの大径部を上記狭窄部に支持させるようにした衣服用ハンガーにおいて、前記フックの大径部を、素材同士の弾性を利用して前記嵌め込み部内に押し入れ、フックを前記ハンガー主体に対して回転可能に、かつ、折り畳み自在に結合した衣服用ハンガーを提供するものである。
【０００５】
上記のように構成した本発明ハンガーは、提げ手部にフック取付け用の開口部がないので、外形を滑面に形成している提げ手部本来の把持感覚が掌にそのまま伝わり、違和感がなく、提げ手部の触感が改善される。本発明は以上のようにして前記の課題を解決したものである。
【０００６】
また、提げ手部の正、背面のリブの内側に、フックの大径部を弾性的に通過させるストッパー突起を設け、このストッパー突起に、起立時、折り畳み時のフックを抜け止めさせるように構成した請求項１の発明によれば、よほど乱暴に扱わない限り不可逆的にフックの取付け状態を保持できるので、素材相互の弾性を利用したフックと提げ手部との連結がより一層強固になる。
【０００７】
【実施例】
以下に、本発明の実施例を図面について説明する。
図１は、実施例の一部切欠分解斜視図、図２は、フックの取付け状態と折り畳み状態を説明する一部切欠正面図、図３は、フックの下端の大径部と提げ手部との嵌合状態を示す一部切欠拡大側面図である。
【０００８】
実施例を示す図において、１は、腕部２を左右に延設したハンガー主体、３は、ハンガー主体１の頂部に環状に連続してほぼ逆台形状に一体成形した提げ手部、４は、提げ手部２の上面に、起立、折り畳み自在に取り付けられたフックで、ハンガー主体１、提げ手部３、フック４はそれぞれ合成樹脂製である。
【０００９】
提げ手部３は、図１に示すように、上面のぼぼ中央に狭窄部５を設け、図示左側面側に掛けて正、背面のリブ３’の間に、フック４の幅を上回る幅に形成し嵌め込み部６を設け、上記左側面の内側に窓孔７を設けている。
【００１０】
フック４は、狭窄部５の径を下回る小径の頸部８の下端に嵌め込み部６の幅を若干下回る径の大径部９を具え、図１に示すように、大径部９を先にして嵌め込み部６内に挿入した後起こすことによって、図２中に実線で示すように起立状態になる。また、フック４は、図２中に虚線で示すように、正面視左側に倒すと、嵌め込み部６内に嵌入して、折り畳み状態になる。折り畳み状態においてフック４の先端は、図示のように窓孔７を挿通して環状の提げ手部３の内側まで突出することになるが該提げ手部３の高さの関係から掌を内側にして持つ指先の邪魔にならないように形成されている。
【００１１】
なお、図中１０は、前記狭窄部５の中間でフック４の起伏を妨げない位置に、正、背面のリブ３’の内側に縦に一体形成したストッパー突起、１１は提げ手部３の底面部である。
ストパー突起１０は、先端を半球形に形成したフック４の大径部９を嵌め込み部６へ押し込む際には、比較的に強力な押し込み操作により、双方の素材が有する弾性的な撓みの範囲で大径部９の通過を許容し、逆方向には、フック４の頸部８と大径部９との段差により抜け止めされる。
底面部１１は、嵌め込み部６の上部から提げ手部３の他側面に連続している。
【００１２】
なお、本発明の実施に際し、提げ手部３からフック４の大径部９を抜け止めするストッパー部分の構成は、図示する実施例の態様に限らない。例えば使用状態においてフック４が位置する部分に膨らみを付け、フック４の大径部９を弾性的に嵌め込み部６へ押し込み、通過させた後にその膨らみの中で包持させるようにする場合もある。いずれの場合にしても、フック４の大径部９と提げ手部３との双方の素材が有する弾性的な撓みの範囲で提げ手部３に挿通させたフック４の大径部９を不可逆的に後退阻止する構造にすることが必要である。図示した実施例は、本発明の最も好ましい態様を示すものである。
【００１３】
【発明の効果】
前記のように構成し、上記のように用いられるようにした本発明によれば、提げ手部３に取付け用の開口部を設けることなくフック４を取り付けられる。したがって、提げ手部３を把持した感覚に違和感がなく、感触に優れた衣服用ハンガーの携行ができる。
【図面の簡単な説明】
【図１】図１は、実施例の一部切欠分解斜視図
【図２】図２は、フックの取付け状態と折り畳み状態を説明する一部切欠正面図
【図３】図３は、フックの下端の大径部と提げ手部との嵌合状態を示す一部切欠拡大側面図である。
【符号の説明】
１　ハンガー主体
２　腕部
３　提げ手部　　（３’　リブ）
４　フック
５　狭窄部
６　嵌め込み部
７　窓孔
８　頸部
９　大径部
１０　ストッパー突起
１１　底面部
【図１】
2004024636.tif 000003
【図２】
2004024636.tif 000004
【図３】
2004024636.tif 000005